(57)【要約】【課題】ＡＭ、ＦＭおよびデジタル放送のそれぞれにノイズを低減し感度が良好な放送信号を再生することができる放送受信機を提供する。【解決手段】操作表示部６０のモード選択情報に基づいてＡＭ、ＦＭおよびＤＡＢ放送のうちのいずれか一つの放送モードが選択されたとき、コントローラ５０によりＡＭ信号処理回路２１、ＦＭ信号処理回路２２およびＤＡＢ信号処理回路２３のうち、選択された放送に対応する信号処理回路以外の信号処理回路の動作を停止する。【選択図】        図１
2006033144.tif 000002
【特許請求の範囲】
【請求項１】
ＡＭ（Amplitude Modulation）放送信号に対し周波数変換および増幅を含むアナログ信号処理を行うＡＭ放送信号処理回路と、
デジタル放送信号に対し周波数変換および増幅を含むアナログ信号処理を行うデジタル放送信号処理回路と、
前記ＡＭ放送信号処理回路により出力されたＡＭ放送信号および前記デジタル放送信号処理回路により出力されたデジタル放送信号をデジタル信号に変換するＡＤ（Analog to Digital）変換器と、
前記ＡＤ変換器により出力されたデジタル信号を復調する復調器と、
前記ＡＭ放送信号処理回路、前記デジタル放送信号処理回路および前記復調器の動作を制御する制御回路とを備え、
前記制御回路は、前記ＡＭ放送信号処理回路および前記デジタル放送信号処理回路のいずれかの一方の回路を選択し、選択された一方の回路と異なる他方の回路の動作を停止させる、
ことを特徴とする放送受信機。
【請求項２】
前記制御回路は、前記他方の回路へのクロック信号の供給を停止して前記他方の回路の動作を停止させることを特徴とする請求項１記載の放送受信機。
【請求項３】
前記制御回路は、前記他方の回路への電源の供給を停止して前記他方の回路の動作を停止させることを特徴とする請求項１記載の放送受信機。
【請求項４】
前記復調器は、前記ＡＤ変換器によりデジタル信号に変換されたＡＭ放送信号を復調するＡＭ放送信号復調プログラムおよび前記ＡＤ変換器によりデジタル信号に変換されたデジタル放送信号を復調するデジタル放送信号復調プログラムを記憶する記憶手段と、前記制御回路により前記ＡＭ放送信号処理回路および前記デジタル放送信号処理回路のいずれかの一方の回路が選択されたとき、選択された回路で処理される放送信号に対応するプログラムを前記記憶手段から読み出し実行するデジタル・シグナル・プロセッサとを有することを特徴とする請求項１記載の放送受信機。
【請求項５】
ＡＭ放送信号に対し周波数変換および増幅を含むアナログ信号処理を行うＡＭ放送信号処理回路と、
ＦＭ（Frequency Modulation）放送信号に対し周波数変換および増幅を含むアナログ信号処理を行うＦＭ放送信号処理回路と、
デジタル放送信号に対し周波数変換および増幅を含むアナログ信号処理を行うデジタル放送信号処理回路と、
前記ＡＭ放送信号処理回路により出力されたＡＭ放送信号、前記ＦＭ放送信号処理回路により出力されたＦＭ放送信号および前記デジタル放送信号処理回路により出力されたデジタル放送信号をデジタル信号に変換するＡＤ変換器と、
前記ＡＤ変換器により出力されたデジタル信号を復調する復調器と、
前記ＡＭ放送信号処理回路、ＦＭ放送信号処理回路および前記デジタル放送信号処理回路および前記復調器の動作を制御する制御回路とを備え、
前記制御回路は、前記ＡＭ放送信号処理回路、ＦＭ放送信号処理回路および前記デジタル放送信号処理回路のうちいずれか一つの回路を選択し、選択された回路と異なる残りの回路の動作を停止させる、
ことを特徴とする放送受信機。
【請求項６】
前記制御回路は、前記残りの回路へのクロック信号の供給を停止して前記残りの回路の動作を停止させることを特徴とする請求項５記載の放送受信機。
【請求項７】
前記制御回路は、前記残りの回路への電源の供給を停止して前記残りの回路の動作を停止させることを特徴とする請求項５記載の放送受信機。
【請求項８】
前記復調器は、前記ＡＤ変換器によりデジタル信号に変換されたＡＭ放送信号を復調するＡＭ放送信号復調プログラム、前記ＡＤ変換器によりデジタル信号に変換されたＦＭ放送信号を復調するＦＭ放送信号復調プログラムおよび前記ＡＤ変換器によりデジタル信号に変換されたデジタル放送信号を復調するデジタル放送信号復調プログラムを記憶する記憶手段と、前記制御回路により前記ＡＭ放送信号処理回路、前記ＦＭ放送信号処理回路および前記デジタル放送信号処理回路のうちいずれかの一つの回路が選択されたとき、選択された回路で処理される放送信号に対応するプログラムを前記記憶手段から読み出し実行するデジタル・シグナル・プロセッサとを有することを特徴とする請求項５記載の放送受信機。
【発明の詳細な説明】
【技術分野】
【０００１】
本発明は、放送方式が異なる複数の放送電波を受信する放送受信機に関する。
【背景技術】
【０００２】
近年、新しいデジタルラジオ放送の準備が各国で進められている。デジタルラジオ放送は、複数の放送方式により供給されるため、それぞれの放送方式に合った受信手段を準備する必要がある。また、従来のＡＭ／ＦＭ放送も並存するため、従来のＡＭ／ＦＭ放送と新しい複数のデジタル放送との双方に対応するラジオ放送受信機の開発が望まれる。
【０００３】
複数の放送方式の電波を受信する放送受信機としては、例えば、デジタル信号に変換された複数の放送電波の受信信号のそれぞれを復調するプログラムをメモリに記憶しておき、受信された電波に対応するプログラムを読み出し、ＤＳＰ（Digital Signal Processor）にロードし、デジタル信号に変換された受信信号をＤＳＰにより復調する放送受信機が開示されている（特許文献１および２参照）。
【特許文献１】特開２０００−３２４００３号公報
【特許文献２】特開平４−４４３７号公報
【発明の開示】
【発明が解決しようとする課題】
【０００４】
しかしながら、従来の放送受信機では、ＡＭ放送信号、ＦＭ放送信号およびデジタル放送信号は、それぞれ専用の信号処理回路により周波数変換および増幅を含むアナログ信号処理を行い、次段のＡＤ変換器に出力していたが、特に、ＡＭ信号は、再生する際のノイズの低減が困難であるといった問題があった。
【０００５】
本発明は、このような事情に鑑みなされたものであり、その目的は、ＡＭ、ＦＭおよびデジタル放送のそれぞれにノイズを低減し感度が良好な放送信号を再生することができる放送受信機を提供するにある。
【課題を解決するための手段】
【０００６】
上記目的を達成するため、本発明の放送受信機は、ＡＭ放送信号に対し周波数変換および増幅を含むアナログ信号処理を行うＡＭ放送信号処理回路と、デジタル放送信号に対し周波数変換および増幅を含むアナログ信号処理を行うデジタル放送信号処理回路と、前記ＡＭ放送信号処理回路により出力されたＡＭ放送信号および前記デジタル放送信号処理回路により出力されたデジタル放送信号をデジタル信号に変換するＡＤ変換器と、前記ＡＤ変換器により出力されたデジタル信号を復調する復調器と、前記ＡＭ放送信号処理回路、前記デジタル放送信号処理回路および前記復調器の動作を制御する制御回路とを備え、前記制御回路は、前記ＡＭ放送信号処理回路および前記デジタル放送信号処理回路のいずれかの一方の回路を選択し、選択された一方の回路と異なる他方の回路の動作を停止させることを特徴とする。
また、本発明の放送受信機は、ＡＭ放送信号に対し周波数変換および増幅を含むアナログ信号処理を行うＡＭ放送信号処理回路と、ＦＭ放送信号に対し周波数変換および増幅を含むアナログ信号処理を行うＦＭ放送信号処理回路と、デジタル放送信号に対し周波数変換および増幅を含むアナログ信号処理を行うデジタル放送信号処理回路と、前記ＡＭ放送信号処理回路により出力されたＡＭ放送信号、前記ＦＭ放送信号処理回路により出力されたＦＭ放送信号および前記デジタル放送信号処理回路により出力されたデジタル放送信号をデジタル信号に変換するＡＤ変換器と、前記ＡＤ変換器により出力されたデジタル信号を復調する復調器と、前記ＡＭ放送信号処理回路、ＦＭ放送信号処理回路および前記デジタル放送信号処理回路および前記復調器の動作を制御する制御回路とを備え、前記制御回路は、前記ＡＭ放送信号処理回路、ＦＭ放送信号処理回路および前記デジタル放送信号処理回路のうちいずれか一つの回路を選択し、選択された回路と異なる残りの回路の動作を停止させることを特徴とする。
【発明の効果】
【０００７】
本発明の放送受信機によれば、前記制御回路により前記ＡＭ放送信号処理回路および前記デジタル放送信号処理回路のいずれかの一方の回路を選択し、選択された一方の回路と異なる他方の回路の動作を停止させる。
したがって、他方の回路の動作に起因する受信信号のノイズの発生を防止することができるので、選択された放送信号のノイズを低減し感度が良好な放送信号を再生することができる。
また、本発明の放送受信機によれば、前記制御回路により前記ＡＭ放送信号処理回路、ＦＭ放送信号処理回路および前記デジタル放送信号処理回路のうちいずれか一つの回路を選択し、選択された回路と異なる残りの回路の動作を停止させる。
したがって、残りの回路の動作に起因する受信信号のノイズの発生を防止することができるので、選択された放送信号のノイズを低減し感度が良好な放送信号を再生することができる。
【発明を実施するための最良の形態】
【０００８】
上記目的を達成するため、ＡＭ、ＦＭおよびデジタル放送のいずれか一つの放送が選択されたとき、選択された放送信号のアナログ信号処理回路以外の残りのアナログ信号処理回路の動作を停止させるように放送受信機を構成する。
【実施例１】
【０００９】
以下、本発明の実施例１の放送受信機について図面を参照して説明する。
図１は、実施例１の放送受信機の概略構成を示す図である。
図１に示すように、実施例１の放送受信機は、アナログ方式のＡＭおよびＦＭ放送、並びに、デジタル放送方式のＤＡＢ（Digital Audio Broadcast）放送の電波を受信する放送受信機であり、ＡＭ放送アンテナ１１に接続されたＡＭ信号処理回路（ＡＭ ＲＦ）２１、ＦＭ放送アンテナ１２に接続されたＦＭ信号処理回路（ＦＭ ＲＦ）２２、ＤＡＢ放送アンテナ１３に接続されたＤＡＢ信号処理回路（ＤＡＢ ＲＦ）２３、ＡＤＣ（Analog to Digital Converter）３０、復調器４０、コントローラ５０および操作表示部６０を備える。
【００１０】
ＡＭ信号処理回路２１は、ＡＭ放送アンテナ１１により受信されたＡＭ放送信号に対し周波数変換および増幅を含むアナログ信号処理を行う。ＦＭ信号処理回路２２は、ＦＭ放送アンテナ１２により受信されたＦＭ放送信号に対し周波数変換および増幅を含むアナログ信号処理を行う。ＤＡＢ信号処理回路２３は、ＤＡＢ放送アンテナ１３により受信されたＡＭ放送信号に対し周波数変換および増幅を含むアナログ信号処理を行う。
ＡＤＣ３０は、ＡＭ信号処理回路２１により出力されたアナログのＡＭ放送信号、ＦＭ信号処理回路２２により出力されたアナログのＦＭ放送信号およびＤＡＢ信号処理回路２３により出力されたアナログのＤＡＢ放送信号をそれぞれデジタル信号に変換する。
【００１１】
復調器４０は、ＡＤＣ３０によりデジタル信号に変換されたＡＭ、ＦＭおよびＤＡＢ放送信号を復調するものであり、ＤＳＰ（Digital Signal Processor）４１およびフラッシュメモリ４２を有する。フラッシュメモリ４２には、デジタル信号に変換されたＡＭ、ＦＭおよびＤＡＢ放送のそれぞれを復調するための３つの復調プログラムが記憶されている。ＤＳＰ４１は、ＡＭ、ＦＭおよびＤＡＢ放送のいずれか一つの放送が選択されたとき、選択された放送の復調プログラムをフラッシュメモリ４１から読み出し実行し、デジタル信号を復調する。
【００１２】
操作表示部６０は、使用者の操作により操作情報を入力するとともに、この放送受信機の設定情報や状態情報を表示するものであり、例えば、ＡＭ、ＦＭおよびＤＡＢ放送のモード選択情報や、放送局の選択（選局）情報を入力するとともに、選択された放送局の周波数等を表示する。コントローラ５０は、操作表示部６０により入力された操作情報に従ってこの放送受信機の各部を制御するものである。
【００１３】
コントローラ５０は、操作表示部６０のモード選択情報に基づいてＡＭ、ＦＭおよびＤＡＢ放送のうちのいずれか一つの放送モードが選択されたとき、ＡＭ信号処理回路２１、ＦＭ信号処理回路２２およびＤＡＢ信号処理回路２３のうち、選択された放送に対応する信号処理回路以外の信号処理回路の動作を停止する。具体的には、コントローラ５０は、当該信号処理回路へのクロック信号の供給を停止する、または、当該信号処理回路への電源の供給を停止する。
【００１４】
図２は、実施例１の放送受信機の動作を示すフローチャートである。
操作表示部６０の操作によりＡＭ、ＦＭおよびＤＡＢ放送のうちいずれか一つの放送モードが選択される（ステップＳ１）。ステップＳ１で、ＡＭ放送が選択されたときには、ＡＭ放送アンテナ１１により受信されたＡＭ放送信号がＡＭ信号処理回路１１により周波数変換、増幅等され、ＡＤＣ３０によりデジタル信号に変換され、復調器４０に出力され、同時に、コントローラ５０によりＦＭ信号処理回路２２およびＤＡＢ信号処理回路２３の動作が停止され、ステップＳ５に進む（ステップＳ２）。
【００１５】
一方、ステップＳ１で、ＦＭ放送が選択されたときには、ＦＭ放送アンテナ１２により受信されたＦＭ放送信号がＦＭ信号処理回路１２により周波数変換、増幅等され、ＡＤＣ３０によりデジタル信号に変換され、復調器４０に出力され、同時に、コントローラ５０によりＡＭ信号処理回路２１およびＤＡＢ信号処理回路２３の動作が停止され、ステップＳ５に進む（ステップＳ３）。
さらに、ステップＳ１で、ＤＡＢ放送が選択されたときには、ＤＡＢ放送アンテナ１３により受信されたＤＡＢ放送信号がＦＭ信号処理回路１２により周波数変換、増幅等され、ＡＤＣ３０によりデジタル信号に変換され、復調器４０に出力され、同時に、ＡＭ信号処理回路２１およびＦＭ信号処理回路２３の動作が停止され、ステップＳ５に進む（ステップＳ４）。
【００１６】
次に、ステップＳ１で選択された放送モードに対応する復調プログラムがフラッシュメモリ４２から読み出され、ＤＳＰ４１にロードされプログラムが実行され、ＤＳＰ４１内に復調器４０の機能が実現される（ステップＳ５）。次に、操作表示部６０により選局情報が入力されると（ステップＳ６）、選択された放送モードの受信信号が復調器４０により復調され、受信信号が再生される（ステップＳ７）。そして、操作表示部６０により放送モードが切り換えられると、ステップＳ１に戻る。
【００１７】
このように、実施例１の放送受信機によれば、操作表示部６０のモード選択情報に基づいてＡＭ、ＦＭおよびＤＡＢ放送のうちのいずれか一つの放送モードが選択されたとき、コントローラ５０によりＡＭ信号処理回路２１、ＦＭ信号処理回路２２およびＤＡＢ信号処理回路２３のうち、選択された放送に対応する信号処理回路以外の信号処理回路の動作を停止する。
したがって、動作が停止された信号処理回路に起因する受信信号のノイズの発生を防止することができるので、選択された放送信号のノイズを低減し感度が良好な放送信号を再生することができる。特にＡＭ放送の場合に有効である。
【００１８】
また、コントローラ５０によりクロック信号または電源の供給を停止することによりＡＭ信号処理回路２１、ＦＭ信号処理回路２２およびＤＡＢ信号処理回路２３の動作を停止することができるので、従来のハードウェアの変更を行う必要がなく、簡単な方法により本発明の制御回路を実現することができる。
なお、実施例１では、デジタル方式の放送の一例として、ＤＡＢ放送をあげたが、デジタル放送方式はこれに限るものではなく、また、デジタル放送法式は複数あってもよい。
【図面の簡単な説明】
【００１９】
【図１】実施例１の放送受信機の概略構成を示す図である。
【図２】実施例１の放送受信機の動作を示すフローチャートである。
【符号の説明】
【００２０】
１１……ＡＭ放送アンテナ、１２……ＦＭ放送アンテナ、１３……ＤＡＢ放送アンテナ、２１……ＡＭ信号処理回路、２２……ＦＭ信号処理回路、２３……ＤＡＢ放送信号処理回路、３０……ＡＤＣ、４０……復調器、４１……ＤＳＰ、４２……フラッシュメモリ、５０……コントローラ、６０……操作表示部。
【図１】
2006033144.tif 000003
【図２】
2006033144.tif 000004